(57)【特許請求の範囲】
【請求項１】
ダウンリンクデータのリソース割当てに関する割当情報を生成する生成部と、
前記生成された割当情報を割当情報領域で送信する送信部と、
を具備し、
前記割当情報は、少なくとも複数の受信装置のグループに提供される割当情報であるマルチキャスト割当情報と、１つの受信装置に提供される割当情報であるユニキャスト割当情報とに分類され、
前記割当情報領域は前記ユニキャスト割当情報のための第一領域と前記マルチキャスト割当情報のための第二領域とを含み、前記第一領域は周波数軸において前記第二領域の後に隣接しており、前記第二領域に複数の前記マルチキャスト割当情報が配置され、前記第一領域に複数の前記ユニキャスト割当情報が配置される、
通信装置。
【請求項２】
前記割当情報領域は、１つの受信装置に提供される割当情報であるユニキャスト割当情報が配置される第三領域をさらに含み、前記第二領域は前記第一領域と前記第三領域との間に在る、
請求項１に記載の通信装置。
【請求項３】
前記ユニキャスト割当情報のうち、第一のユニキャスト割当情報サイズに基づいてグループ化された第一グループのユニキャスト割当情報は前記第一領域に配置され、第二のユニキャスト割当情報サイズに基づいてグループ化された第二グループのユニキャスト割当情報は前記第三領域に配置される、
請求項２に記載の通信装置。
【請求項４】
前記割当情報領域は、全受信装置に提供される割当情報であるブロードキャスト割当情報が配置される第四領域をさらに含み、前記第四領域は前記割当情報領域の先頭に在る、
請求項１に記載の通信装置。
【請求項５】
前記ユニキャスト割当情報および前記マルチキャスト割当情報は、周波数領域に配置される、
請求項１に記載の通信装置。
【請求項６】
ダウンリンクデータのリソース割当てに関する割当情報を生成する生成ステップと、
前記生成された割当情報を割当情報領域で送信する送信ステップと、
を具備し、
前記割当情報は、少なくとも複数の受信装置のグループに提供される割当情報であるマルチキャスト割当情報と、１つの受信装置に提供される割当情報であるユニキャスト割当情報とに分類され、
前記割当情報領域は前記ユニキャスト割当情報のための第一領域と前記マルチキャスト割当情報のための第二領域とを含み、前記第一領域は周波数軸において前記第二領域の後に隣接しており、前記第二領域に複数の前記マルチキャスト割当情報が配置され、前記第一領域に複数の前記ユニキャスト割当情報が配置される、
通信方法。
【発明の詳細な説明】
【技術分野】
【０００１】
本発明は、リソース割当てのための制御メッセージを送信する通信装置及び通信方法に関する。
【背景技術】
【０００２】
現在、無線移動通信システムは、第４世代（すなわち、４Ｇネットワーク）へ向けて進展している。４Ｇへの進展により、システム要件であるユーザ数、ユーザ帯域幅及びモビリティの大幅な増進が期待される。
【０００３】
このシステム要件における増進を実現すべく、いくつかの新しい技術の使用が計画されている。これらの技術の一つに、ＷｉＭＡＸ（IEEE 802.16e）及び３ＧＰＰ  ＬＴＥ向けに提案された無線技術である、直交周波数分割マルチプルアクセス（ＯＦＤＭＡ）がある。
【０００４】
ＯＦＤＭ通信方式は、複数のサブキャリアを用いて送信データを多重化して送信する技術である。ＯＦＤＭ通信方式では、まず、データストリームが、複数の並列サブストリームに分割される。このとき、データレートは、低減される。すなわち、並列サブストリームでは、シンボル時間長が、元のデータストリームよりも増加する。そして、複数の並列サブストリームは、変調された後に、別々のサブキャリアにそれぞれマッピングされる。
【０００５】
上記シンボル時間長の増加は、チャネル遅延スプレッドに対するＯＦＤＭのロバスト性を高める。さらに、サイクリックプレフィックス（ＣＰ）の導入は、ＣＰ時間長がチャネル遅延スプレッドよりも長いかぎり、シンボル間の干渉を完全に排除できる。加えて、ＯＦＤＭ変調は、複雑さを低くしてより多くのサブキャリアを可能にする、効率的な逆高速フーリエ変換（ＩＦＦＴ）を用いて実現可能である。
【０００６】
ＯＦＤＭ通信システムにおいてリソースは、時間ドメインではＯＦＤＭシンボルによって規定され、周波数ドメインではサブキャリアによって規定される。すなわち、ＯＦＤＭＡは、複数のユーザから受け取るデータストリームを時間リソース及び周波数リソース上にマッピングすることにより、多重化伝送を実現するマルチプルアクセス方式である。
【０００７】
従来、ＯＦＤＭ通信方式を用いて通信する無線通信装置が、例えば、非特許文献１に開示されている。
【０００８】
図１は、ＯＦＤＭＡフレームの構成例を示す図である。図１においては、ダウンリンク（ＤＬ）のフレーム構成が示されている。図１には、図示されていないが、通常、アップリンク（ＵＬ）に対応する部分も存在する。
【０００９】
図１において、フレームには、制御シグナリング情報を運ぶＭＡＣ制御メッセージ２２が含まれる。制御シグナリング情報には、例えば、ＤＬデータ送信のためのスケジューリング情報、ＵＬ送信のためのスケジューリンググラント、及び、ＵＬ送信への応答としてのＡＣＫ／ＮＡＫ指示が含まれる。通常、制御シグナリング情報は、現フレームに対してのみ有効である。しかし、制御シグナリング情報が複数のフレームに対して有効であるような追加の動作モードもあり得る。 
【００１０】
ＭＡＣ制御メッセージ２２は、基地局（ＢＳ）からＢＳに接続したすべての移動局（ＭＳ）へブロードキャストされる。各ＭＳは、ＭＡＣ制御メッセージ２２を受信し、復号し
た後に、ＭＡＣ制御メッセージ２２の中から自身宛のスケジューリング情報ユニットを探し出す必要がある。ＭＡＣ制御メッセージ２２は、通常、フレーム先頭付近で、且つ、フレーム境界を基準にして所定のタイミングで、ブロードキャストされる。
【００１１】
図１を参照すると、ＭＡＣ制御メッセージ２２は、複数のスケジューリング情報ユニットを有する。ここで、各スケジューリング情報ユニットは、ＭＳ−ＩＤを含んだ情報要素（ＩＥ）から構成される。各ＩＥは、特定のＭＳ、又は、複数のＭＳを含むグループ（以下、単に「グループ」と呼ばれる）に対応する。ＩＥに含まれる情報は、データ送信フォーマットの特定に不可欠である。ＭＳ（又はグループ）がデータ送信フォーマットを特定することは、当該ＭＳ（又はグループ）にスケジュールされたシステムリソースを識別し、その対応リソースを正しく復調するために、不可欠である。例えば、図１において、ＩＥ２４、２６、２８、３０の内容は、それぞれリソース３２、３４、３６，３８を正しく復調するために不可欠である。
【００１２】
ここで、ターゲットのＭＳの数に応じて、ＩＥは、三つの種類、つまりユニキャスト、マルチキャスト、及びブロードキャストに分かれる。ユニキャストＩＥは単一のＭＳに対応し、マルチキャストＩＥは予め決められた数のＭＳに対応し、ブロードキャストＩＥはすべてのＭＳに対応する。
【００１３】
例えば、図１のユニキャストＩＥ２４がＭＳ−ＩＤ１を含むように、各ユニキャストＩＥは或るＭＳを一意に識別するＭＳ−ＩＤを含む。一つのＭＳが、ＭＡＣ制御メッセージ２２中に、或るＭＳに対応するユニキャストＩＥが複数個含まれる場合も有る。図１においても、ＭＳ−ＩＤ１を持つＭＳに対応する２つのＩＥ２４、３０が存在している。
【００１４】
また、図１のマルチキャストＩＥ２６がＭＳ−ＩＤ２を含み、ブロードキャストＩＥ２８がＭＳ−ＩＤ３を含むように、ブロードキャスト及びマルチキャストＩＥも、それぞれブロードキャスト接続及びマルチキャスト接続を一意に識別するＭＳ−ＩＤを含む。なお、ＭＳは、ブロードキャスト対象のグループ及びマルチキャスト対象のグループを、予め知っている。
【００１５】
ここで、各ＩＥは、個別の割当リソース領域に対応している。すなわち、例えば、割当リソース領域の単位スケールが決まっている場合には、第１の割当リソース領域及び第２の割当リソース領域の宛先移動局が同じであっても、第１の割当リソース領域及び第２の割当リソース領域のそれぞれに対してＩＥが用意される。また、このようなケースは、以下の場合にも起こりうる。例えば、第１の割当リソース領域と第２の割当リソース領域とが不連続である場合である。また、第１の割当リソース領域と第２の割当リソース領域とに適用されるサービスが異なる場合、例えば、一方では電話サービスが適用され、他方ではデータ通信サービスが適用される場合である。また、第１の割当リソース領域と第２の割当リソース領域とで適用される設定条件が異なる場合、例えば、ＭＣＳ（Modulation and Coding Scheme）が異なる場合である。また、第１の割当リソース領域と第２の割当リソース領域とで送信されるデータの再送回数が異なる場合である。
【００１６】
図２は、ＤＬにおけるＩＥの典型的な構成を示す図である。このＤＬにおけるＩＥには、データをどのように処理するかをＭＳに通知するために使用されるＤＬスケジューリング情報ユニットが含まれる。図２において、ＩＥには、フレーム中でリソースを割り当てたＭＳ又はグループを識別するＭＳ−ＩＤ４２が含まれる。また、ＩＥには、リソースに関係した情報としては、割り当てられた特定のリソース（例えば、時間、周波数、空間等またはこれらのいずれかの組合せ）の指示（つまり、リソース割当情報４４）とその割当が有効である期間４６が含まれる。また、ＩＥには、データ送信フォーマットに関係した情報としては、コンテンツが指示された特定のＭＩＭＯ方式に依存することを示すための
ＭＩＭＯデータ４８、割り当てられたリソースに使用される変調方式情報５０、ペイロードサイズ情報５２、及び、現送信が求めているハイブリッドＡＲＱプロセスを示すためのＨＡＲＱ情報５４が含まれる。
【００１７】
以上のようにして、ＭＳ又はグループは、ＭＡＣ制御メッセージに含まれたＩＥを復号し、この復号結果に基づいて自身に割り当てられたリソースを特定することができる。
【先行技術文献】
【非特許文献】
【００１８】
【非特許文献１】IEEE Std 802.16e-2005
【発明の概要】
【発明が解決しようとする課題】
【００１９】
ところで、ＭＡＣ制御メッセージ内の各ＩＥの並ぶ順序は任意であり、また、ＭＳ−ＩＤが共通する複数のＩＥが存在し得る。従って、ＭＳは、自身のＭＳ−ＩＤに対応したリソースを探し出すために、ＭＡＣ制御メッセージ２２内のすべてのＩＥをチェックする必要がある。この結果、ＭＳの処理時間と電力消費とが増加してしまう問題がある。
【００２０】
本発明の目的は、受信側における受信処理を効率化させることにより受信側の処理時間及び電力消費を低減する通信装置及び通信方法を提供することである。
【課題を解決するための手段】
【００２１】
本発明の一態様の通信装置は、ダウンリンクデータのリソース割当てに関する割当情報を生成する生成部と、前記生成された割当情報を割当情報領域で送信する送信部と、を具備し、前記割当情報は、少なくとも複数の受信装置のグループに提供される割当情報であるマルチキャスト割当情報と、１つの受信装置に提供される割当情報であるユニキャスト割当情報とに分類され、前記割当情報領域は前記ユニキャスト割当情報のための第一領域と前記マルチキャスト割当情報のための第二領域とを含み、前記第一領域は周波数軸において前記第二領域の後に隣接しており、前記第二領域に複数の前記マルチキャスト割当情報が配置され、前記第一領域に複数の前記ユニキャスト割当情報が配置される。
【００２２】
本発明の一態様の通信方法は、ダウンリンクデータのリソース割当てに関する割当情報を生成する生成ステップと、前記生成された割当情報を割当情報領域で送信する送信ステップと、を具備し、前記割当情報は、少なくとも複数の受信装置のグループに提供される割当情報であるマルチキャスト割当情報と、１つの受信装置に提供される割当情報であるユニキャスト割当情報とに分類され、前記割当情報領域は前記ユニキャスト割当情報のための第一領域と前記マルチキャスト割当情報のための第二領域とを含み、前記第一領域は周波数軸において前記第二領域の後に隣接しており、前記第二領域に複数の前記マルチキャスト割当情報が配置され、前記第一領域に複数の前記ユニキャスト割当情報が配置される。
【発明の効果】
【００２３】
本発明によれば、受信側における受信処理を効率化させることにより受信側の処理時間及び電力消費を低減する通信装置及び通信方法を提供することができる。
【図面の簡単な説明】
【００２４】
【図１】ＯＦＤＭフレームの構成例を示す図
【図２】ダウンリンクにおける情報要素（ＩＥ）の典型的な構成を示す図
【図３】本発明の実施の形態１に係る基地局の構成を示すブロック図
【図４】本発明の実施の形態１に係る移動局の構成を示すブロック図
【図５】本発明の実施の形態１に係る制御メッセージの構成を示す図
【図６】本発明の実施の形態２に係る制御メッセージの構成を示す図
【図７】本発明の実施の形態３に係る制御メッセージの構成を示す図
【図８】本発明の実施の形態４に係る制御メッセージの構成を示す図
【図９】本発明の実施の形態５の前提となるシステムの説明に供する図
【図１０】本発明の実施の形態５に係る制御メッセージの構成を示す図
【図１１】本発明の実施の形態６に係る制御メッセージの構成を示す図
【図１２】本発明の実施の形態７の前提となるシステムの説明に供する図
【図１３】本発明の実施の形態７の前提となるシステムの説明に供する図
【図１４】本発明の実施の形態７の前提となるシステムの説明に供する図
【図１５】本発明の実施の形態７に係る制御メッセージの構成を示す図
【図１６】メッセージ処理部における処理の説明に供する図
【図１７】本発明の実施の形態８に係る制御メッセージの構成を示す図
【図１８】メッセージ処理部における処理の説明に供する図
【発明を実施するための形態】
【００２５】
以下、本発明の実施の形態について図面を参照して詳細に説明する。なお、実施の形態において、同一の構成要素には同一の符号を付し、その説明は重複するので省略する。
【００２６】
（実施の形態１）
［基地局の構成］
図３は、本発明の実施の形態１に係る基地局１００の構成を示すブロック図である。図３において、基地局１００は、制御部１０１と、スケジューラ１０２と、メッセージ生成部１０３と、ＯＦＤＭ通信部１０４と、メッセージ処理部１０５とを有する。ここでは、制御部１０１、スケジューラ１０２、メッセージ生成部１０３、及びメッセージ処理部１０５は、ＭＡＣ層の処理を行い、ＯＦＤＭ通信部１０４は、物理層の処理を行う。
【００２７】
制御部１０１は、ＭＡＣプロトコルに係る処理を制御する。
【００２８】
スケジューラ１０２は、制御部１０１による制御に基づいて、通信相手である、移動局２００又は複数の移動局２００からなるグループに対して、リソースを割り当てる。スケジューラ１０２は、移動局２００又はグループに割り当てられた識別情報であるＭＳ−ＩＤ、リソース割当情報、及び、キャスト識別情報（つまり、ユニキャスト、マルチキャスト、及びブロードキャストの識別情報）などをメッセージ生成部１０３に出力する。
【００２９】
メッセージ生成部１０３は、スケジューラ１０２から受け取る情報を用いて、ダウンリンクで送信される制御メッセージを生成する。制御メッセージには、制御シグナリング情報が含められる。制御シグナリング情報は、例えば、下りデータ通信に関するスケジューリング情報、及び、上りデータ通信に関するスケジューリング情報である。また、メッセージ生成部１０３は、スケジューリング情報ユニットに対応するリソースへ当該スケジューリング情報ユニットと関連するＭＳ−ＩＤ宛の送信データをマッピングする。具体的には、スケジューリング情報ユニットにはＭＳ−ＩＤ及びリソース割当情報が含まれるので、このリソース割当情報に対応するリソースへこのＭＳ−ＩＤ宛の送信データをマッピングする。このように制御メッセージに含まれるスケジューリング情報ユニットと送信データとが対応づけられているので、受信側では、制御メッセージ内の情報を頼りに自身宛のデータを受信処理することができる。なお、メッセージ生成部１０３において生成される制御メッセージの構成については、後に詳しく説明する。
【００３０】
ＯＦＤＭ通信部１０４は、ＯＦＤＭ変調及びＯＦＤＭ復調を行う。ＯＦＤＭ通信部１０４は、メッセージ生成部１０３にて生成された制御メッセージを含めたフレームを送信する。
【００３１】
メッセージ処理部１０５は、移動局２００から送信された上りメッセージを解析処理し、その結果を制御部１０１に出力する。
【００３２】
［移動局の構成］
図４は、本発明の実施の形態１に係る移動局２００の構成を示すブロック図である。図４において、移動局２００は、制御部２０１と、メッセージ生成部２０２と、ＯＦＤＭ通信部２０３と、メッセージ処理部２０４とを有する。ここでは、制御部２０１、メッセージ生成部２０２、及びメッセージ処理部２０４は、ＭＡＣ層の処理を行い、ＯＦＤＭ通信部２０３は、物理層の処理を行う。
【００３３】
制御部２０１は、ＭＡＣプロトコルに係る処理を制御する。
【００３４】
メッセージ生成部２０２は、制御部２０１による制御に基づいて、アップリンクで送信されるメッセージを生成する。このメッセージには、制御情報又は送信データが含まれる。
【００３５】
ＯＦＤＭ通信部２０３は、ＯＦＤＭ変調及びＯＦＤＭ復調を行う。
【００３６】
メッセージ処理部２０４は、制御部２０１による制御に基づいて、基地局１００から送信された下りメッセージを解析処理し、その結果を制御部２０１に出力する。すなわち、メッセージ処理部２０４では、例えば、下りデータ通信に関するスケジューリング情報ユニット、及び、上りデータ通信に関するスケジューリング情報ユニットが抽出され、制御部２０１に出力される。
【００３７】
［制御メッセージの構成］
上記したようにメッセージ生成部１０３は、ダウンリンクで送信される制御メッセージを生成する。図５は、実施の形態１に係る制御メッセージの構成を示す図である。
【００３８】
図５において、制御メッセージ３００は、マルチキャスト／ブロードキャストゾーン３１０と、ユニキャストゾーン３２０とに分けられる。マルチキャスト／ブロードキャストゾーン３１０及びユニキャストゾーン３２０は、それぞれ連続した領域から構成されている。
【００３９】
マルチキャスト／ブロードキャストゾーン３１０には、この制御メッセージが送信されるフレームにおける、マルチキャストに対するスケジューリング情報及びブロードキャストに対するスケジューリング情報のすべてが含まれる。すなわち、マルチキャスト／ブロードキャストゾーン３１０には、マルチキャストＩＥ及びブロードキャストＩＥのすべてが含まれる。
【００４０】
一方、ユニキャストゾーン３２０には、この制御メッセージが送信されるフレームにおけるユニキャストに対するスケジューリング情報がすべて含まれる。
【００４１】
ユニキャストゾーン３２０は、各移動局２００に対するスケジューリング情報ユニット３３０を有する。各スケジューリング情報ユニット３３０は、１つのＭＳ−ＩＤ用の領域３３２、ＩＥ数インジケータ用の領域３３４、及び、ＩＥ用の領域３３６を含む。ＩＥ数
インジケータは、そのスケジューリング情報ユニット３３０に含まれるＩＥの数を示す。
【００４２】
ここで、マルチキャストＩＥ及びブロードキャストＩＥに関しては、各ＩＥにＭＳ−ＩＤが含められる。このＩＥのフォーマットを、以下、「第１フォーマット」と呼ぶことがある。一方、ＭＳ−ＩＤは、ユニキャストＩＥには含められず、各移動局割当領域３３０の先頭に１つだけ置かれる。このＩＥのフォーマットを、以下、「第２フォーマット」と呼ぶことがある。
【００４３】
このようにユニキャストゾーン３２０では、１つのＭＳ−ＩＤに対して複数のユニキャストＩＥが１つのＩＥ用領域３３６にまとめて配置されてスケジューリング情報ユニット３３０が構成されている。従って、自身宛のスケジューリング情報ユニット３３０を見つければ、他の領域に自身宛のユニキャストＩＥが存在しないので、受信側の移動局２００は、自身宛のスケジューリング情報ユニット３３０を見つけた段階で移動局割当領域の探索処理を終了することができる。これにより、制御メッセージの全体を探索する必要がある従来に比べて、スケジューリング情報ユニットの探索処理に掛かる時間を短縮することができ、これに伴い、移動局２００の消費電力を削減することができる。
【００４４】
また、ＭＳ−ＩＤは、ユニキャストＩＥには含められず、各スケジューリング情報ユニット３３０における先頭領域に１つだけ置かれる。これにより、スケジューリング情報ユニット３３０内に複数のＩＥが含まれる場合には、各ユニキャストＩＥにＭＳ−ＩＤが含まれていた従来に比べて、シグナリングオーバヘッドを減少させることができる。
【００４５】
（実施の形態２）
実施の形態２では、ユニキャストゾーンがＩＥの数に応じた複数の部分ゾーンに分割される。実施の形態２に係る基地局及び移動局の構成は、実施の形態１に係る基地局１００及び移動局２００と同様である。
【００４６】
メッセージ生成部１０３は、ダウンリンクで送信される制御メッセージを生成する。図６は、実施の形態２に係る制御メッセージの構成を示す図である。
【００４７】
図６において、制御メッセージ４００は、マルチキャスト／ブロードキャストゾーン４１０と、ユニキャストゾーン４２０とに分けられる。
【００４８】
また、図６において、ユニキャストゾーン４２０は、２つの部分ゾーン、すなわち、第１のユニキャストゾーン４２０ａと第２のユニキャストゾーン４２０ｂとに分けられている。
【００４９】
第１のユニキャストゾーン４２０ａには、制御メッセージ４００が送信されるフレームにおいて、１つのユニキャストＩＥの宛先となっている移動局２００に対するスケジューリング情報ユニットが含められる。第１のユニキャストゾーン４２０ａにマッピングされるユニキャストＩＥには、ＭＳ−ＩＤが含められる（図６におけるユニキャストＩＥ４２２，４２４参照）。すなわち、第１のユニキャストゾーン４２０ａでは、第１フォーマットが採用される。
【００５０】
一方、第２のユニキャストゾーン４２０ｂには、制御メッセージ４００が送信されるフレームにおいて、複数のユニキャストＩＥの宛先となっている移動局２００に対するスケジューリング情報ユニットが含められる。第２のユニキャストゾーン４２０ｂにマッピングされるユニキャストＩＥには、実施の形態１と同様に、ＭＳ−ＩＤは含められず、ＭＳ−ＩＤは各スケジューリング情報ユニット３３０の先頭領域に１つだけ置かれる。すなわち、第２のユニキャストゾーン４２０ｂでは、第２フォーマットが採用される。
【００５１】
以上のように、明らかにＩＥを１つしか持たないスケジューリング情報ユニットのみをマッピングする第１のユニキャストゾーン４２０ａを設けたことにより、この領域では、ＩＥ数インジケータが不要となる。これにより、シグナリングオーバヘッドを減少させることができる。
【００５２】
また、マルチキャスト／ブロードキャストゾーン４１０は、第１のユニキャストゾーン４２０ａと第２のユニキャストゾーン４２０ｂとの間に設けられる。すなわち、マルチキャスト／ブロードキャストゾーン４１０は、第１のユニキャストゾーン４２０ａと第２のユニキャストゾーン４２０ｂとの境界を形成している。こうすることで、受信側の移動局２００は、マルチキャスト／ブロードキャストゾーン４１０を目印にして、第１のユニキャストゾーン４２０ａの終わり及び第２のユニキャストゾーン４２０ｂの始まりを容易に認識することができる。
【００５３】
なお、マルチキャスト／ブロードキャストゾーン４１０に加えて、予め決められたＭＳ−ＩＤに対する特殊用途のＩＥ（例えば、範囲指定ＩＥ）を含むゾーンを設け、これをユニキャストゾーンの終了信号として使用しても良い。
【００５４】
また、第１のユニキャストゾーン４２０ａと第２のユニキャストゾーン４２０ｂとの順番は、逆に、第２のユニキャストゾーン４２０ｂが前で第１のユニキャストゾーン４２０ａが後ろであっても良い。ただし、その順番は、予め決められている必要がある。
【００５５】
（実施の形態３）
実施の形態３でも、実施の形態２と同様に、ユニキャストゾーンがＩＥの数に応じた複数の部分ゾーンに分割される。実施の形態３に係る基地局及び移動局の構成は、実施の形態１に係る基地局１００及び移動局２００と同様である。
【００５６】
メッセージ生成部１０３は、ダウンリンクで送信される制御メッセージを生成する。図７は、実施の形態３に係る制御メッセージの構成を示す図である。
【００５７】
図７において、制御メッセージ５００は、マルチキャスト／ブロードキャストゾーン５１０と、ユニキャストゾーン５２０とに分けられる。
【００５８】
また、図７において、ユニキャストゾーン５２０は、３つの部分ゾーン、すなわち、第１のユニキャストゾーン５２０ａと第２のユニキャストゾーン５２０ｂと第３のユニキャストゾーン５２０ｃとに分けられている。
【００５９】
第１のユニキャストゾーン５２０ａには、実施の形態２で説明した第１のユニキャストゾーン４２０ａと同様に、制御メッセージ５００が送信されるフレームにおいて、１つのユニキャストＩＥの宛先となっている移動局２００に対するスケジューリング情報ユニットが含められる。
【００６０】
第２のユニキャストゾーン５２０ｂには、制御メッセージ５００が送信されるフレームにおいて、２つのユニキャストＩＥの宛先となっている移動局２００に対するスケジューリング情報ユニットが含められる。第２のユニキャストゾーン５２０ｂは、各移動局２００に対するスケジューリング情報ユニット５３０を有する。スケジューリング情報ユニット５３０は、スケジューリング情報ユニット３３０と同様に、１つのＭＳ−ＩＤ用の領域５３２、及び、ＩＥ用の領域５３４を含む。ただし、スケジューリング情報ユニット３３０と異なり、スケジューリング情報ユニット５３０は、ＩＥ数インジケータを含まない。これは、第１のユニキャストゾーン５２０ａと同様に、第２のユニキャストゾーン５２０
ｂ自体にＩＥ数情報が結びつけられているため、ＩＥ数インジケータを含める必要がないからである。これにより、シグナリングオーバヘッドを減少させることができる。
【００６１】
第３のユニキャストゾーン５２０ｃには、制御メッセージ５００が送信されるフレームにおいて、３つ以上のユニキャストＩＥの宛先となっている移動局２００に対するスケジューリング情報ユニットが含められる。
【００６２】
このように３つのユニキャストゾーンが設定されるので、さらに受信側の移動局２００が自身宛のＭＳ−ＩＤを探索する領域を狭くすることができ、結果として、移動局２００の処理時間及び消費電力を削減することができる。
【００６３】
また、マルチキャスト／ブロードキャストゾーン５１０は、第１のマルチキャスト／ブロードキャストゾーン５１０ａと第２のマルチキャスト／ブロードキャストゾーン５１０ｂとに分けられる。第１のマルチキャスト／ブロードキャストゾーン５１０ａ及び第２のマルチキャスト／ブロードキャストゾーン５１０ｂは、第１のユニキャストゾーン５２０ａと第２のユニキャストゾーン５２０ｂとの間、及び、第２のユニキャストゾーン５２０ｂと第３のユニキャストゾーン５２０ｃとの間にそれぞれ配置される。
【００６４】
こうすることで、受信側の移動局２００は、マルチキャスト／ブロードキャストゾーン５１０を目印にして、ユニキャストゾーン５２０の終わり及び始まりを容易に認識することができる。
【００６５】
なお、第１のマルチキャスト／ブロードキャストゾーン５１０ａ及び第２のマルチキャスト／ブロードキャストゾーン５１０ｂに加えて、予め決められたＭＳ−ＩＤに対する特殊用途のＩＥ（例えば、範囲指定ＩＥ）を含むゾーンを設け、これをユニキャストゾーンの終了信号として使用しても良い。
【００６６】
また、第１のユニキャストゾーン５２０ａと第２のユニキャストゾーン５２０ｂと第３のユニキャストゾーン５２０ｃとの順番は、入れ替えられても良い。ただし、その順番は、予め決められている必要がある。
【００６７】
（実施の形態４）
実施の形態４では、実施の形態２及び実施の形態３と異なり、マルチキャスト／ブロードキャストゾーンが、マルチキャストゾーンとブロードキャストゾーンとに分けられる。
【００６８】
メッセージ生成部１０３は、ダウンリンクで送信される制御メッセージを生成する。図８は、実施の形態４に係る制御メッセージの構成を示す図である。
【００６９】
図８において、制御メッセージ６００は、ブロードキャストゾーン６１０と、マルチキャストゾーン６２０と、ユニキャストゾーン４２０とに分けられる。
【００７０】
ブロードキャストゾーン６１０は、制御メッセージ６００において先頭に置かれる。こうすることで、例えば、IEEE802.16eのようにブロードキャストのスケジューリング情報を制御メッセージにおける先頭領域に置くことを要求するプロトコルにも適合するメッセージ構造とすることができる。
【００７１】
また、第１のユニキャストゾーン４２０ａと第２のユニキャストゾーン４２０ｂとの間には、マルチキャストゾーン６２０が設けられる。こうすることで、受信側の移動局２００は、マルチキャストゾーン６２０を目印にして、第１のユニキャストゾーン４２０ａの終わり及び第２のユニキャストゾーン４２０ｂの始まりを容易に認識することができる。
【００７２】
また、ブロードキャストとマルチキャストとの混在領域は設けられず、それぞれがゾーンとして独立するブロードキャストゾーン６１０及びマルチキャストゾーン６２０が設けられている。こうすることで、受信側の移動局２００におけるゾーン探索処理の負荷が軽減される。すなわち、例えばアドレス標記がＩＰｖ４に準ずる場合には、ブロードキャストのＩＰアドレスは、後ろの８ビットがすべて１になり、マルチキャストのＩＰアドレスは、前の４ビットが１１１０となる。従って、ブロードキャストとマルチキャストとが混在している場合には、移動局２００は、前４ビット及び後ろ８ビットを見て初めてブロードキャストとマルチキャストとを区別できる可能性がある。一方、本実施の形態のように、ブロードキャストゾーンとマルチキャストゾーンとが分離され、その順番が決まっている場合には、先ず、最初に現れるゾーンのＩＰアドレスの特徴点に着目して探索し、見つかった後に、探索する特徴点をもう一方のものに切り替えることにより、移動局２００のゾーン探索処理の負荷を軽減することができる。
【００７３】
（実施の形態５）
実施の形態２乃至４では、第１のユニキャストゾーンと第２のユニキャストゾーンとの間に非ユニキャストゾーンを配置することにより、受信側の移動局が、非ユニキャストゾーンを目印にして、第１のユニキャストゾーンの終わり及び第２のユニキャストゾーンの始まりを容易に認識できる。
【００７４】
本実施の形態では、実施の形態２乃至４の構成と異なる制御メッセージが用いられることが前提とされる。
【００７５】
［前提となる従来システム］
このシステムでは、背景技術で説明したシステムと異なり、ＭＳ−ＩＤを明示的には通知せずに、各ＩＥに含まれるＣＲＣ（Cyclic Redundancy Check）に対してＭＳ−ＩＤに掛算することにより、ＣＲＣをマスキングする場合がある。受信側の移動局は、ＩＥを復号し、ＣＲＣ部分に対して自分のＭＳ−ＩＤを用いて排他的論理和演算する。この結果、ＣＲＣがＯＫとなるＩＥを自分宛のＩＥであると判定し、このＩＥを用いてデータ受信を行う。この際、移動局は、自分宛のＩＥを探すために、すべてのＩＥの復号を試みることとなる。
【００７６】
さらに、このシステムでは、ＩＥを移動局へ通知するために、リソースサイズ及びＭＣＳ（Modulation and Coding Scheme）のそれぞれが複数用意される。例えば、リソースサイズには、２種類（１ＭＬＲＵ（MAP Logical Resource Unit）又は２ＭＬＲＵ）が用意され、ＭＣＳにも２種類（ＱＰＳＫ  １／２、又はＱＰＳＫ  １／８)が用意される。そして、ＩＥに対して適用される、リソースサイズ及びＭＣＳの組み合わせは、宛先の移動局ごとに、又は、伝搬路状況に応じて、変更される。
【００７７】
また、上記した例の場合、リソースサイズ及びＭＣＳの組み合わせが４種類あるので、制御メッセージにおいて、ＩＥが４グループに整理されて含まれるとともに、グループ毎のＩＥ数なども含められる（図９参照、ただし、図９では、Ｎ種類グループがある場合が示されている）。こうすることにより、制御メッセージの受信側である移動局は、自分宛のＩＥを探すための試行復号回数を削減できる。
【００７８】
しかしながら、図９に示すように、ＩＥは、user specific MAPという領域に配置される一方、グループ毎のＩＥ数は、Non-user specific MAPという領域に配置される。従って、このNon-user specific MAPが設けられることにより、このシステムでは、背景技術で説明したシステムと比べて、オーバーヘッドが増加し、トータルのスループットが減少するという問題がある。
【００７９】
［実施の形態５に係る基地局及び移動局の構成］
実施の形態５に係る基地局及び移動局の基本構成は、実施の形態１に係る基地局１００及び移動局２００と同様である。
【００８０】
メッセージ生成部１０３は、ダウンリンクで送信される制御メッセージを生成する。具体的には、メッセージ生成部１０３は、まず、ＩＥタイプに基づいて、ＩＥをグルーピングする。ＩＥタイプは、例えば、リソースサイズ及びＭＣＳの組みである。そして、メッセージ生成部１０３は、配置領域をグループ毎に分離して、ＩＥを制御メッセージに含める。さらに、メッセージ生成部１０３は、任意のグループの配置領域内では、ユニキャストＩＥの配置領域と非ユニキャストＩＥの配置領域とを分離して、ＩＥを配置する。
【００８１】
［制御メッセージの構成］
図１０は、実施の形態５に係る制御メッセージの構成を示す図である。図１０では、ＩＥが、グループ１（Ｇ１），…，グループＮ（ＧＮ）の順番で並べられて、制御メッセージ内に含められる。また、任意のグループの配置領域内では、ユニキャストＩＥ、ブロードキャストＩＥ（非ユニキャストの一種）の順番で、ＩＥが配置されている。すなわち、任意のグループにおいて、ユニキャストＩＥが１つのサブグループ（ＳＧ）を構成し、非ブロードキャストが他のサブグループを構成する。
【００８２】
以上のように本実施の形態によれば、制御メッセージは、ＩＥタイプに応じたグループ毎にＩＥ配置領域を有する。各グループのＩＥ配置領域では、ユニキャストＩＥの配置領域と非ユニキャストＩＥの配置領域とが、分離されると共に、一定の順序で並べられる。
【００８３】
こうすることで、第１のグループのユニキャストＩＥの配置領域と第２のグループのユニキャストＩＥの配置領域との間には、第１のグループ又は第２のグループの非ユニキャストＩＥの配置領域が設けられる。このため、受信側の移動局は、非ユニキャストＩＥの配置領域を目印にして、第１のグループのユニキャストＩＥの配置領域の終わり及び第２のグループのユニキャストＩＥの配置領域の始まりを容易に認識することができる。すなわち、このような制御メッセージの構成とすることにより、上記した従来システムと異なり、Non-user specific MAPを設ける必要がないので、オーバーヘッドを削減することができる。
【００８４】
（実施の形態６）
実施の形態５では、各グループに非ユニキャストＩＥが含まれることを前提とした。これに対して、実施の形態６は、非ユニキャストＩＥを含まないグループが存在する場合の制御メッセージの構成に関する。実施の形態６に係る基地局及び移動局の基本構成は、実施の形態５と同様である。
【００８５】
実施の形態５と同様に、メッセージ生成部１０３は、ダウンリンクで送信される制御メッセージを生成する。具体的には、メッセージ生成部１０３は、まず、ＩＥタイプに基づいて、ＩＥをグルーピングする。そして、メッセージ生成部１０３は、配置領域をグループ毎に分離して、ＩＥを制御メッセージに含める。そして、メッセージ生成部１０３は、任意のグループの配置領域内では、ユニキャストＩＥの配置領域と非ユニキャストＩＥの配置領域とを分離して、ＩＥを配置する。
【００８６】
さらに、メッセージ生成部１０３は、非ユニキャストＩＥを含まないグループのユニキャストＩＥの数に関する情報を、Non-user specific MAPに配置する。また、メッセージ生成部１０３は、非ユニキャストＩＥを含まないグループに関する情報も、Non-user specific MAPに配置する。このグループに関する情報は、例えば、ビットマップ形式で表さ
れる。
【００８７】
図１１は、実施の形態６に係る制御メッセージの構成を示す図である。図１１には、Ｎが４の場合の制御メッセージの構成例が示されている。図１１において、Ｇ２及びＧ４は、非ユニキャストＩＥを含まない。従って、Non-user specific MAPには、非ユニキャストＩＥを含まないグループに関する情報が配置される。ここでは、任意のグループにおける非ユニキャストの有無をビット値１，０で表す。従って、ここでは４グループあるので、ビットマップは４つの構成ビットを有する。ビットマップにおけるｋ番目の構成ビットをグループｋに対応させる場合、Ｇ２及びＧ４に非ユニキャストＩＥが含まれないときには、ビットマップは、０１０１のビット列で構成される。
【００８８】
こうすることで、非ユニキャストＩＥを含まないグループが存在する場合でも、受信側の移動局は、各グループの配置領域の先頭及び末尾を容易に特定することができる。また、Non-user specific MAPには、非ユニキャストＩＥを含まないグループのＩＥ数に関する情報のみが含められるので、実施の形態５で説明した従来システムに比べて、オーバーヘッドを削減することができる。実施の形態５で説明した従来システムに比べて、非ユニキャストＩＥを含まないグループに関する情報を新たに配置する必要があるが、高々グループ数と同数のビット数なので、オーバーヘッドの増加に対する影響は小さい。
【００８９】
（実施の形態７）
本実施の形態では、基地局が複数のキャリアを用いて信号を送信する場合を前提とする。
【００９０】
［前提となる従来システム］
このシステムでは、例えば、図１２に示すように、基地局は、複数のキャリアを用いて信号を送信する。その複数のキャリアには、主のキャリアであるPrimary Carrierと従属キャリアであるSecondary Carrierとが含まれる。そして、すべての制御メッセージは、Primary Carrierで送信される。そして、Primary Carrier用の制御メッセージは、Basic assignment IEとして通知される一方、Secondary Carrier用の制御メッセージは、MC assignment IEとして通知される。Basic assignment IEとMC assignment IEとは、１つのセットとして、Primary Carrierにて送信される。
【００９１】
こうして、Primary Carrierでは、Single Carrier用のIEとMulticarrier用のIEとがすべて送信される。このとき、図１３に示すように、Single Carrier用のIE及びMulticarrier用のIEは、ランダムに送信される。従って、このような制御メッセージの構成によれば、自機宛の信号がSingle Carrierで送信される移動局であっても、すべてのIEの復号を行う必要がある。
【００９２】
このような受信側である移動局の負荷を軽減するために、例えば、図１４に示すような制御メッセージの構成を採ることも考えられる。すなわち、Non-user specific MAPという領域以外のuser specific MAPという領域において、Single Carrier用のIEの配置領域と非Single Carrier用のIEの配置領域とを分離して配置する。なお、Non-user specific MAPには、それぞれのIE数などが配置される。
【００９３】
こうすることで、自機宛の信号がSingle Carrierで送信される移動局は、Single CarrierのIEのみの復号を行えばよいので、自機宛のIEを探す試行回数を削減することができる。
【００９４】
しかしながら、Non-user specific MAPが設けられることにより、このシステムでは、背景技術で説明したシステムと比べて、オーバーヘッドが増加し、トータルのスループッ
トが減少するという問題がある。
【００９５】
［実施の形態７に係る基地局及び移動局の構成］
実施の形態７に係る基地局及び移動局の基本構成は、実施の形態１に係る基地局１００及び移動局２００と同様である。
【００９６】
メッセージ生成部１０３は、ダウンリンクで送信される制御メッセージを生成する。具体的には、メッセージ生成部１０３は、まず、ＩＥタイプに基づいて、ＩＥをグルーピングする。ここでは、ＩＥタイプは、Single Carrier又はMulticarrierの種別、及び、ユニキャストＩＥ又は非ユニキャストＩＥの種別の組みである。そして、メッセージ生成部１０３は、配置領域をグループ毎に分離して、ＩＥを制御メッセージに含める。さらに、メッセージ生成部１０３は、種別がSingle Carrierであるグループの配置領域内では、ユニキャストＩＥの配置領域と非ユニキャストＩＥの配置領域とを分離して、ＩＥを配置する。
【００９７】
[制御メッセージの構成]
図１５は、実施の形態７に係る制御メッセージの構成を示す図である。図１５では、ＩＥが、Single Carrierのグループ,Multicarrierのグループの順番で並べられて、制御メッセージ内に含められる。また、Single Carrierグループの配置領域内では、ユニキャストＩＥ、ブロードキャストＩＥ（非ユニキャストの一種）の順番で、ＩＥが配置されている。すなわち、Single Carrierグループにおいて、ユニキャストＩＥが１つのサブグループ（ＳＧ）を構成し、非ユニキャストＩＥが他のサブグループを構成する。ここで、ＩＥには、Basic assignment IEとnon-basic assignment IEとの両方が含まれる。Basic assignment IEは、通常データチャネル用のInformation elementである。Non-basic assignment IEは、Group単位のinformation element、Group単位のinformation elementの構成要素を通知するＩＥ、又は、Persistent allocationなど通常データチャネル以外のＩＥである。
【００９８】
［移動局における受信処理］
上記した構成を有する制御メッセージは、基地局１００から送信され、移動局２００で受信される。
【００９９】
図１６は、メッセージ処理部２０４における処理の説明に供する図である。
【０１００】
ステップＳ１００１では、メッセージ処理部２０４は、制御メッセージのＩＥごとに、ＣＲＣをチェックする。
【０１０１】
ステップＳ１００２において、ブロードキャスト用の識別情報によってＣＲＣをデマスキングした結果、ＣＲＣがＯＫと判定される場合（ＹＥＳ）には、このときのＩＥを、シングルキャリアで且つブロードキャストであるＩＥのグループが配置される領域（つまり、図１５のＳＧ２）の先頭として検出する（ステップＳ１００３）。ＣＲＣがＮＧと判定される場合（ＮＯ）には、ステップＳ１００１の処理が繰り返される。
【０１０２】
ステップＳ１００４では、さらに後続のＩＥのＣＲＣをチェックする。
【０１０３】
ステップＳ１００５において、ブロードキャスト用の識別情報によってＣＲＣをデマスキングした結果、ＣＲＣがＮＧと判定される場合（ＮＯ）には、このときのＩＥを、マルチキャリアであるＩＥのグループが配置される領域の先頭として検出する（ステップＳ１００７）。
【０１０４】
ＣＲＣがＯＫと判定される場合（ステップＳ１００５：ＹＥＳ）には、チェック対象のＩＥがマルチキャリア割当ＩＥ（MC assignment IE）であるか判定する（ステップＳ１００６）。
【０１０５】
マルチキャリア割当ＩＥであると判定される場合（ステップＳ１００６：ＹＥＳ）には、このときのＩＥを、マルチキャリアであるＩＥのグループが配置される領域の先頭として検出する（ステップＳ１００７）。マルチキャリア割当ＩＥではないと判定される場合（ステップＳ１００６：ＮＯ）には、ステップＳ１００４の処理が繰り返される。
【０１０６】
以上のように本実施の形態によれば、制御メッセージは、ＩＥタイプに応じたグループ毎にＩＥ配置領域を有する。各グループのＩＥ配置領域では、ユニキャストＩＥの配置領域と非ユニキャストＩＥの配置領域とが、分離されると共に、一定の順序で並べられる。
【０１０７】
こうすることで、Single CarrierのグループのユニキャストＩＥの配置領域とMulticarrierのグループのユニキャストＩＥの配置領域との間には、Single Carrierのグループの非ユニキャストＩＥの配置領域が設けられる。このため、受信側の移動局は、非ユニキャストＩＥの配置領域を目印にして、Single CarrierのグループのユニキャストＩＥの配置領域の終わり及びMulticarrierのグループのユニキャストＩＥの配置領域の始まりを容易に認識することができる。すなわち、このような制御メッセージの構成とすることにより、上記した従来システムと異なり、Non-user specific MAPを設ける必要がないので、オーバーヘッドを削減することができる
【０１０８】
（実施の形態８）
実施の形態７では、移動局は、Multicarrierのグループの最初の”Basic assignment IE”を検出することにより、Single CarrierのグループとMulticarrierのグループとの境を認識した。Multicarrierのグループの最初の”Basic assignment IE”を検出する際に用いられる基準としては、検出対処ＩＥが、ブロードキャストＩＥであるか否か、及び、マルチキャリア割当ＩＥであるかが用いられた。この「マルチキャリア割当ＩＥであるか」という基準は、Multicarrierのグループの先頭に配置されるBasic assignment IEもBroadcastである場合に有用である。
【０１０９】
これに対して、本実施の形態では、Single Carrierのグループの配置領域において、Multicarrierのグループの配置領域の直前には、Non-basic assignment IEで且つBroadcastであるＩＥを割り当てる。こうすることで、「Non-basic assignment IEからbasic assignment IEに切り替わること」を、Multicarrierのグループの最初の”Basic assignment IE”を検出する際に用いられる基準として用いることができる。
【０１１０】
［実施の形態８に係る基地局及び移動局の構成］
実施の形態８に係る基地局及び移動局の基本構成は、実施の形態１に係る基地局１００及び移動局２００と同様である。
【０１１１】
メッセージ生成部１０３は、ダウンリンクで送信される制御メッセージを生成する。具体的には、メッセージ生成部１０３は、まず、ＩＥタイプに基づいて、ＩＥをグルーピングする。ここでは、ＩＥタイプは、Single Carrier又はMulticarrierの種別、ユニキャストＩＥ又は非ユニキャストＩＥの種別、及び、Basic assignment又はNon-basic assignmentの種別の組みである。そして、メッセージ生成部１０３は、配置領域をグループ毎に分離して、ＩＥを制御メッセージに含める。さらに、メッセージ生成部１０３は、種別がSingle Carrierであるグループの配置領域内では、Non-basic assignmentで且つ非ユニキャストのＩＥの配置領域とこれ以外の配置領域とを分離して、ＩＥを配置する。
【０１１２】
[制御メッセージの構成]
図１７は、実施の形態８に係る制御メッセージの構成を示す図である。図１７では、ＩＥが、Single Carrierのグループ,Multicarrierのグループの順番で並べられて、制御メッセージ内に含められる。また、Single Carrierグループの配置領域内では、Basic assignmentのＩＥ（ユニキャスト及び非ユニキャストを含む）、Non-basic assignmentで且つユニキャストのＩＥ、Non-basic assignmentで且つブロードキャストのＩＥの順番で、ＩＥが配置されている。すなわち、Single Carrierグループにおいて、Non-basic assignmentで且つ非ユニキャストのＩＥが、Multicarrierグループの直前に配置されるサブグループを構成する。また、上記した、任意のセットにおいて、ＩＥは、Basic assignment、Non-basic assignmentの順番で並べられる。すなわち、種別がMulticarrierであるグループの配置領域の先頭には、メッセージ生成部１０３によって、Basic assignment IEが配置される。
【０１１３】
［移動局における受信処理］
上記した構成を有する制御メッセージは、基地局１００から送信され、移動局２００で受信される。
【０１１４】
図１８は、メッセージ処理部２０４における処理の説明に供する図である。
【０１１５】
ステップＳ２００１では、メッセージ処理部２０４は、制御メッセージのＩＥごとに、ＣＲＣをチェックする。
【０１１６】
ステップＳ２００２において、ブロードキャスト用の識別情報によって判定対象ＩＥのＣＲＣをデマスキングした結果、ＣＲＣがＯＫと判定され、且つ、判定対象ＩＥがNon-basic assignmentであると判定される場合（ＹＥＳ）には、この判定対象ＩＥを、Non-basic assignmentで且つ非ユニキャストのＩＥのグループが配置される領域（つまり、図１７のＳＧ２）の先頭として検出する（ステップＳ２００３）。ＣＲＣがＮＧと判定される場合（ＮＯ）には、ステップＳ２００１の処理が繰り返される。
【０１１７】
ステップＳ２００４では、さらに後続のＩＥのＣＲＣをチェックする。
【０１１８】
ステップＳ２００５において、ブロードキャスト用の識別情報によって判定対象ＩＥのＣＲＣをデマスキングした結果、ＣＲＣがＮＧと判定される場合（ＮＯ）には、この判定対象ＩＥを、マルチキャリアであるＩＥのグループが配置される領域の先頭として検出する（ステップＳ２００７）。
【０１１９】
ＣＲＣがＯＫと判定される場合（ステップＳ２００５：ＹＥＳ）には、チェック対象のＩＥがNon-basic assignmentであるか判定する（ステップＳ２００６）。
【０１２０】
Non-basic assignmentではないと判定される場合（ステップＳ２００６：ＮＯ）には、この判定対象ＩＥを、マルチキャリアであるＩＥのグループが配置される領域の先頭として検出する（ステップＳ２００７）。Non-basic assignmentであると判定される場合（ステップＳ２００６：ＹＥＳ）には、ステップＳ２００４の処理が繰り返される。
【０１２１】
（他の実施の形態）
（１）実施の形態１乃至３において、マルチキャスト／ブロードキャストゾーン３１０、マルチキャスト／ブロードキャストゾーン４１０、及びマルチキャスト／ブロードキャストゾーン５１０は、マルチキャストとブロードキャストとの混在領域としている。しかしながら、本発明はこれに限られるものではなく、マルチキャスト／ブロードキャストゾーン３１０、マルチキャスト／ブロードキャストゾーン４１０、及びマルチキャスト／ブ
ロードキャストゾーン５１０は、それぞれマルチキャストゾーンとブロードキャストゾーンとに分離されても良い。こうすることにより、実施の形態４と同様に、受信側の移動局２００におけるゾーン探索処理の負荷が軽減される。
【０１２２】
特に、実施の形態１のように、マルチキャスト／ブロードキャストゾーン３１０の先頭に配置される場合には、マルチキャスト／ブロードキャストゾーン３１０内でブロードキャストゾーンを先頭に配置することにより、実施の形態４と同様に、IEEE802.16eのようにブロードキャストのスケジューリング情報を制御メッセージにおける先頭領域に置くことを要求するプロトコルにも適合するメッセージ構造とすることができる。
【０１２３】
（２）実施の形態３において、ユニキャストゾーン間には、マルチキャストとブロードキャストとの混在領域であるマルチキャスト／ブロードキャストゾーン５１０が配置される。しかしながら、本発明はこれに限定されるものではなく、マルチキャスト／ブロードキャストゾーン５１０ａの場所にブロードキャストゾーンを配置し、マルチキャスト／ブロードキャストゾーン５１０ｂの場所にマルチキャストゾーンを配置しても良い。こうすることでも、実施の形態４と同様に、受信側の移動局２００におけるゾーン探索処理の負荷が軽減される。
【０１２４】
（３）上記各実施の形態では、本発明をハードウェアで構成する場合を例にとって説明したが、本発明はソフトウェアで実現することも可能である。
【０１２５】
また、上記各実施の形態の説明に用いた各機能ブロックは、典型的には集積回路であるＬＳＩとして実現される。これらは個別に１チップ化されてもよいし、一部または全てを含むように１チップ化されてもよい。ここでは、ＬＳＩとしたが、集積度の違いにより、ＩＣ、システムＬＳＩ、スーパーＬＳＩ、ウルトラＬＳＩと呼称されることもある。
【０１２６】
また、集積回路化の手法はＬＳＩに限るものではなく、専用回路または汎用プロセッサで実現してもよい。ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサーを利用してもよい。
【０１２７】
さらには、半導体技術の進歩または派生する別技術によりＬＳＩに置き換わる集積回路化の技術が登場すれば、当然、その技術を用いて機能ブロックの集積化を行ってもよい。バイオ技術の適用等が可能性としてありえる。
【０１２８】
２００８年１２月２４日出願の特願２００８−３２８２９４の日本出願、２００９年６月４日出願の特願２００９−１３５３２４の日本出願、及び、２００９年７月８日出願の特願２００９−１６２０７１の日本出願に含まれる明細書、図面および要約書の開示内容は、すべて本願に援用される。
【産業上の利用可能性】
【０１２９】
本発明の通信装置及び通信方法は、受信側における受信処理を効率化させることにより受信側の処理時間及び電力消費を低減するものとして有用である。
【図１】
0005468019.tif 000002
【図２】
0005468019.tif 000003
【図３】
0005468019.tif 000004
【図４】
0005468019.tif 000005
【図５】
0005468019.tif 000006
【図６】
0005468019.tif 000007
【図７】
0005468019.tif 000008
【図８】
0005468019.tif 000009
【図９】
0005468019.tif 000010
【図１０】
0005468019.tif 000011
【図１１】
0005468019.tif 000012
【図１２】
0005468019.tif 000013
【図１３】
0005468019.tif 000014
【図１４】
0005468019.tif 000015
【図１５】
0005468019.tif 000016
【図１６】
0005468019.tif 000017
【図１７】
0005468019.tif 000018
【図１８】
0005468019.tif 000019